(57)【要約】    【課題】  器具高さを短縮しても所要の遮光角を確保できるＬＥＤ光源を備えたグレアレス形照明器具を提供する。    【解決手段】  グレアレス形照明器具は、前面側に収容凹部1bを備えた灯体1と、灯体の収容凹部の頂面部に分散して配置された複数のＬＥＤ光源2と、灯体の収容凹部内においてＬＥＤ光源ごとに１対１の関係で対応して配設され、ＬＥＤ光源から放射された光を前方へ反射する複数の反射板3と、灯体の収容凹部内においてＬＥＤ光源ごとに１対１の関係で対応して反射板の前面側に配設されたグレアレスコーン4とを具備している。【選択図】図１
2010108859.tif 000002
【特許請求の範囲】
【請求項１】
前面側に収容凹部を備えた灯体と；
灯体の収容凹部の頂面部に分散して配置された複数のＬＥＤ光源と；
灯体の収容凹部内においてＬＥＤ光源ごとに対応して配設され、ＬＥＤ光源から放射された光を前方へ反射する複数の反射板と；
灯体の収容凹部内においてＬＥＤ光源ごとに対応して反射板の前面側に配設されたグレアレスコーンと；
を具備していることを特徴とする照明器具。
【発明の詳細な説明】
【技術分野】
【０００１】
本発明は、ＬＥＤ光源を備えたグレアレス形照明器具に関する。
【背景技術】
【０００２】
ダウンライト形の照明器具の場合、灯体の開口端側にグレアレスコーンを配設して遮光角を大きくすることで光源および反射板が直視できないようにするのが一般的である。
【０００３】
一方、従来の照明器具に用いている白熱電球、電球形蛍光ランプまたは高輝度放電ランプなどの光源をＬＥＤ光源に代替した照明器具を得る場合、所望の光束を確保するために複数のＬＥＤ光源を灯体内の頂面部に分散して配置している（非特許文献１参照。）。また、この種の照明器具では、ＬＥＤ光源が発生する熱を速やかに放散させることがＬＥＤ光源の発光効率を高く維持するために欠かせない。そのため、灯体を熱良導性金属のアルミニウムを用いているとともに、背面側に放熱フィンを配設するのが効果的である。
【０００４】
【非特許文献１】東芝ライテック株式会社の照明器具カタログＡ−４７（１６〜１８頁）
【発明の開示】
【発明が解決しようとする課題】
【０００５】
ところが、ＬＥＤ光源を備えたグレアレス形照明器具においては、分散した複数のＬＥＤ光源は、見かけ上の光源が大きくなるので、所要の遮光角を得るためには、ＬＥＤ光源を灯体内のより高い位置に配置する必要があり、その結果器具高さが大きくなる。そのため、天井裏の高さに制限がある場合には照明器具の取り付けが不可能になるという問題がある。
【０００６】
本発明は、器具高さを短縮しても所望の遮光角を確保できるＬＥＤ光源を備えたグレアレス形照明器具を提供することを目的とする。
【課題を解決するための手段】
【０００７】
本発明のグレアレス形照明器具は、前面側に収容凹部を備えた灯体と；灯体の収容凹部の頂面部に分散して配置された複数のＬＥＤ光源と；灯体の収容凹部内においてＬＥＤ光源ごとに対応して配設され、ＬＥＤ光源から放射された光を前方へ反射する複数の反射板と；灯体の収容凹部内においてＬＥＤ光源ごとに対応して反射板の前面側に配設されたグレアレスコーンと；を具備していることを特徴としている。
【０００８】
本発明は、以下の態様を許容する。
【０００９】
灯体は、照明器具本体とも称される照明器具の中心的構成部材であるが、ＬＥＤ光源が点灯時に発生する熱を外部へ放散しやすくするために、好ましくは熱良導性金属を用いて構成するのがよい。なお、熱良導性金属として既知の各種金属を用いることができるが、例えばアルミニウム、銅および黄銅などを用いて灯体を製作することができる。なお、熱良導性金属を用いて灯体を構成する場合、背面側に所要の数および面積を有する放熱フィンを一体的に配設することができる。
【００１０】
また、灯体は、前面側に開口する収容凹部を備えている。収容凹部は、灯体の有底筒状部分によってその内部に形成されていて、最奥部の頂面部および頂面部の周縁から開口部に向かって垂下した周壁面部を有し、灯体の前面に開口部を有している。この収容凹部内には、いずれも後述するＬＥＤ光源、反射板およびグレアレスコーンを所定の関係になるように収容する。灯体の前面の開口部の周囲に飾り縁を形成することができる。飾り縁は、収容凹部の開口縁から外側へ鍔状に延在して形成されていて、天井下面に当接する。
【００１１】
ＬＥＤ光源は、その複数が分散して灯体の収容凹部の頂面部に配設されている。ＬＥＤ光源の数は、照明器具に設定しようとする光度およびＬＥＤ光源単体が有する光束値に応じて適当な数のＬＥＤ光源を用いればよい。
【００１２】
なお、ＬＥＤ光源を配設しやすくするために、基板に実装するのが好ましい。基板は、ＬＥＤ光源に対する電源供給のための配線手段を備えていることができる。配線手段としては既知の各種手段を適宜採用することが許容されるが、印刷配線が好適である。また、基板は、複数のＬＥＤ光源を一括して実装する一体化された構成でもよいし、複数に分割された構成であってもよい。
【００１３】
また、ＬＥＤ光源は、灯体の収容凹部の頂面に導熱関係に収容されるのが好ましい。なお、導熱関係とは、ＬＥＤ光源から発生した熱を灯体に伝導しやすいように収容されていることをいい、例えばＬＥＤ光源またはＬＥＤ光源を備えた基板を収容凹部の内面に密着させたり、熱伝導の良好なシリコーンなどからなる熱伝導性マットを介して基板を収容凹部に収容したり、熱良導性金属を使用したの基板を採用したりすることができる。
【００１４】
さらに、基板を用いる場合、そこにＬＥＤ光源の点灯回路をも実装していることが許容される。なお、点灯回路は、電子化されている回路構成であってもよいし、直流電源および限流抵抗を有する簡単な回路構成であってもよい。
【００１５】
反射板は、複数のＬＥＤ光源に対して１対１の関係にその複数が配設される。また、反射板は、ＬＥＤ光源から放射された光を灯体の開口面から床面に向かうように反射して所望の配光特性を形成するように構成されている。さらに、複数の反射板は、それぞれ回転２次曲面状の反射面を有していて、その頂部側の焦点がＬＥＤ光源にほぼ一致するようにＬＥＤ光源を包囲した状態で灯体の収容凹部内に収容される。
【００１６】
グレアレスコーンは、その複数が反射板の開口端と灯体の開口端との間において収容凹部内に配設され、それぞれのＬＥＤ光源の光軸を包囲する筒状をなしている。また、その内径および内面形状を、ＬＥＤ光源からの直接光が殆どグレアレスコーンに入射しないように構成することができる。
【００１７】
また、グレアレスコーンは、好ましくは反射鏡と一体化されている。すなわち、グレアレスコーンおよび反射板を一体成形したり、別体のグレアレスコーンおよび反射板を一体的に結合したりする。
【発明の効果】
【００１８】
本発明によれば、複数のＬＥＤ光源のそれぞれに対して複数の反射板および複数のグレアレスコーンを組み合わせて灯体の収容凹部内に配設したことにより、器具高さを著しく短縮できるために、天井裏の高さが低い所でも設置が可能なグレアレス形照明器具を提供することができる。
【発明を実施するための最良の形態】
【００１９】
以下、図面を参照して本発明を実施するための形態を説明する。
【００２０】
図１は、本発明の照明器具を実施するための一形態を示す一部断面正面図である。本形態において、グレアレス形照明器具は、灯体１、ＬＥＤ光源２、反射板３、グレアレスコーン４を具備している。
【００２１】
灯体１は、アルミニウムのダイキャストにより一体成形されていて、複数の放熱フィン１ａ、収容凹部１ｂおよび飾り縁１ｃを備えている。
【００２２】
複数の放熱フィン１ａは、灯体１の背面の全体から背方へ等間隔で並列した状態で凸設されている。ただし、灯体１の円形の背面の中央部に電源導入部などを配設する場合、所要のスペースを確保するために邪魔になる部分は成形しない構造となっている。
【００２３】
収容凹部１ｂは、図において断面で示されているが、灯体１の前面に開口する有底円筒状部分の内部に形成されている。そして、最奥部が頂面部１ｂ１で、この頂面１ｂ１の周縁から円筒状に垂下する周壁面部１ｂ２を有している。
【００２４】
飾り縁１ｃは、収容凹部１ｂの開口端から外方ヘ鍔状に延在して形成され、天井下面に当接する。
【００２５】
ＬＥＤ光源２は、その複数が互いに分散して基板２ａに実装され、収容凹部１ｂの頂面部１ｂ１に当接して配設されている。
【００２６】
反射板３は、複数のＬＥＤ光源２に対してその同数が用意され、ＬＥＤ光源２と１対１の関係で配設されている。そして、反射板３は、その全体が収容凹部１ｂ内に収容されている。
【００２７】
グレアレスコーン４は、反射板３と一体成形されていて、反射板３の前面側に各ＬＥＤ光源２に対して１対１の関係において配設されているとともに、その全体が収容凹部１ｂ内に収容されている。グレアレスコーン４の内面は、反射板３の開口端から灯体１の開口端に向かって順次拡開しており、例えば回転２次曲面形状に形成されている。そして、ＬＥＤ光源２からの直射光を反射板３で配光制御するとともに、反射板３で反射した光がグレアレスコーン４にも入射される。
【００２８】
また、グレアレスコーン４の内面は、反射板３の傾斜よりも緩やかな傾斜を有することで、灯体１の下端開口部に発光面積を拡大させつつ反射板３の遮光角を所望に確保することができる。なお、図１に示すように、反射板３の下端部とグレアレスコーン４の反対側の下端部とを通る直線と水平線とが形成する角度で規定される遮光角は、４５°に設定されている。
【００２９】
図２は、比較例を示す一部断面正面図である。なお、図において、図１と同一部分には同一符号を付して説明は省略する。
【００３０】
この比較例は、複数のＬＥＤ光源２に対して共通する単一のグレアレスコーン４´を備えているが、ＬＥＤ光源２、反射板３および灯体１の放熱フィン１ａは本形態におけるのと同一仕様を備えている。グレアレスコーン４´の内面は、反射板なお、単一のグレアレスコーン４´は、上述の本発明の形態と同じグレアレス作用を奏するために、光軸方向のサイズが大きくなるので、灯体１の下面から垂下するように灯体１に固着されている。
【００３１】
そうして、本形態のグレアレス形照明器具と、図２に示す比較例との比較例において、本形態のグレアレス形照明器具は、同じ遮光角で器具高さが比較例のそれより３５％小さくなった。
【図面の簡単な説明】
【００３２】
【図１】本発明の照明器具を実施するための一形態を示す一部断面正面図
【図２】比較例を示す一部断面正面図
【符号の説明】
【００３３】
１…灯体、１ａ…放熱フィン、１ｂ…収容凹部、１ｂ１…頂面部、１ｂ２…周壁面部、１ｃ…飾り縁、２…ＬＥＤ光源、２ａ…基板、３…反射板、４…グレアレスコーン
【図１】
2010108859.tif 000003
【図２】
2010108859.tif 000004